(57)【要約】【課題】カラオケ用のマイクロフォンをオゾン使用によって消臭・殺菌し、収納、保管時に衛生的に処理して、不特定多数の使用による悪影響が生じないようにする。【解決手段】開閉自在な扉体２を有する筐体１と、該筐体１内部に設けたマイクロフォン載置部５および消毒手段８とを備え、消毒手段８は、オゾンによる消臭・殺菌作用と、紫外線による殺菌とを併用可能にして成る。オゾンによる消臭・殺菌の消毒手段８は、オゾンランプ２１あるいはオゾン発生装置１０とする。オゾン発生装置１０は、筐体１に吸気口１３、排気口１５を設け、吸気口１３から排気口１５へ通じる筐体１内部の気流経路中に、プラズマ放電法もしくは紫外線でオゾン生成可能なＵＶランプ法によりオゾンを発生させるようにする。マイクロフォン載置部５は、コードレス式のマイクロフォンＭの挿入により自立可能とする充電タイプのマイクスタンドによって構成する。【選択図】図２
2011097511.tif 000002
【特許請求の範囲】
【請求項１】
開閉自在な扉体を有する筐体と、該筐体内部に設けたマイクロフォン載置部および消毒手段とを備えたマイクロフォン消毒装置であって、消毒手段は、オゾンによる消臭・殺菌作用を備えて成ることを特徴とするマイクロフォン消毒装置。
【請求項２】
消毒手段は、紫外線による殺菌作用をオゾンによる消臭・殺菌作用に併用させて成る請求項１記載のマイクロフォン消毒装置。
【請求項３】
消毒手段は、オゾン生成可能なオゾンランプを筐体内に配して成る請求項１または２記載のマイクロフォン消毒装置。
【請求項４】
オゾンによる消臭・殺菌の消毒手段は、扉体によって密閉可能にした筐体に吸気口および排気口を備え、吸気口から排気口へ通じる筐体内部の気流経路中に、プラズマ放電法もしくは紫外線でオゾン生成可能なＵＶランプ法によるオゾン発生装置を配して成る請求項１乃至３のいずれか記載のマイクロフォン消毒装置。
【請求項５】
マイクロフォン載置部は、コードレス式のマイクロフォンを充電可能な充電タイプのマイクスタンドによって構成されて成る請求項１または２記載のマイクロフォン消毒装置。
【発明の詳細な説明】
【技術分野】
【０００１】
本発明は、主としてカラオケ店や公共の場や職場等で使用されるマイクロフォンを一時的にでも収納し、その収納保管中では殺菌作用により簡単確実に殺菌し、清潔にすることができるマイクロフォン消毒装置に関する。
【背景技術】
【０００２】
カラオケ店や公共の場や職場等で使用されるマイクロフォンは、不特定多数の人々の手や口等の人体が接触したり、近接したりするため、細菌やカビ等が付着し且つ繁殖してしまうことがあり、清潔ではない。特に、不特定多数の人が利用するカラオケスタジオのマイクロフォン、あるいはスナック、バー、キャバレー等の飲食店におけるカラオケ用マイクロフォンの場合、誰が使用したか解らないために、これを簡単に消毒し、清潔な状態に維持することが望まれている。
【０００３】
そのためにこのようなマイクロフォン消毒装置として、例えば特許文献１および特許文献２に示すような、出入口部が設けられた収納部内に殺菌用の紫外線光源を配置して成る様々な殺菌装置が提案されている。
【０００４】
すなわち、特許文献１および特許文献２に開示されている紫外線殺菌装置は、出入口部に設けられた紫外線遮蔽性のカーテンもしくはスリット状の弾性板を経由して当該殺菌装置の被殺菌対象物収納部の内部に被殺菌対象物である例えばマイクロフォンの全体、またはマイクロフォンの把持部上端にある球形状のマイク部分等の殺菌したい箇所のみを収納すると、被殺菌対象物が収納部に収納されたことが電気的に検出され、紫外線光源の点灯時間を制御する制御装置により紫外線光源が予め設定された時間点灯し、紫外線光源から出射した殺菌光線が被殺菌対象物を照射し殺菌する構成となっている。
【先行技術文献】
【特許文献】
【０００５】
【特許文献１】特開平９−６０７号公報
【特許文献２】特開平９−６０８号公報
【発明の概要】
【発明が解決しようとする課題】
【０００６】
しかしながら、これらの従来の紫外線光源の照射による光学的殺菌作用をマイクロフォン消毒装置として利用したものでは、その光源の照射範囲に限りがあり、つまり光の直進性のため、マイクロフォンに対して紫外線が直接に照射される部分の殺菌消毒は可能であっても、照射されずに影となる部分が生じており、その影の部分では当該マイクロフォンの完全な殺菌効果が十分に得られないという問題点を有していた。
【０００７】
そこで、本発明は叙上のような従来存した諸事情に鑑み創出されたもので、紫外線の照射範囲外でもオゾン利用による殺菌が可能となり、特に不特定多数の人が利用するカラオケスタジオのマイクロフォン、あるいはスナック、バー、キャバレー等の飲食店におけるのカラオケ用マイクロフォンを衛生的で且つ清潔な状態で常時使用することができるマイクロフォン消毒装置を提供することを目的とする。
【課題を解決するための手段】
【０００８】
上述した課題を解決するために、本発明にあっては、開閉自在な扉体２を有する筐体１と、該筐体１内部に設けたマイクロフォン載置部５および消毒手段８とを備えたマイクロフォン消毒装置であって、消毒手段８は、オゾンによる消臭・殺菌作用を備えて成るものである。
消毒手段８は、紫外線による殺菌作用をオゾンによる消臭・殺菌作用に併用させて構成することができ、また、オゾン生成可能なオゾンランプ２１を筐体１内に配して構成することができる。
オゾンによる消臭・殺菌作用の消毒手段８は、扉体２によって密閉可能にした筐体１に吸気口１３および排気口１５を備え、吸気口１３から排気口１５へ通じる筐体１内部の気流経路中に、プラズマ放電法もしくは紫外線でオゾン生成可能なＵＶランプ法によるオゾン発生装置１０を配して成り、また、紫外線でオゾン生成可能なオゾンランプ２１を筐体１内に配して成るものとすることができる。
マイクロフォン載置部５は、コードレス式のマイクロフォンＭを充電可能な充電タイプのマイクスタンドによって構成されて成るものとできる。
【０００９】
以上のように構成された本発明に係るマイクロフォン消毒装置にあって、オゾンによる消臭・殺菌は、適度なオゾンの発生により筐体１内部更には設置場所周囲の空気の殺菌や脱臭等を行わせ、また紫外線による殺菌は、殺菌作用が極めて強い例えば２５３．７ｎｍの紫外線を豊富に発生させることで、マイクロフォンＭに付着した雑菌・カビ等を確実に殺菌処理させる。
プラズマ放電法もしくは紫外線でオゾン生成可能なＵＶランプ法によるオゾン発生装置１０を配して成るオゾンによる消臭・殺菌は、常時安定したオゾンを発生させ、その強力な酸化力で筐体１内部の例えば不快な臭いの元となる物質を酸化分解して脱臭させる。
また、紫外線でオゾン生成可能なオゾンランプ２１を筐体１内に配した消毒手段８は、筐体１内で、その全域をオゾンによる消毒・殺菌の雰囲気下のものとし、その取り扱いを容易にさせる。
コードレス式のマイクロフォンＭを充電可能な充電タイプのマイクスタンドによるマイクロフォン載置部５は、マイクロフォンＭを当該マイクロフォン載置部５に載せておくだけで充電できると同時に、衛生的で且つ清潔な状態で常時使用可能にさせる。
【発明の効果】
【００１０】
本発明によれば、オゾン利用による消毒・殺菌が可能となり、特に不特定多数の人が利用するカラオケスタジオのマイクロフォンＭ、あるいはスナック、バー、キャバレー等の飲食店におけるカラオケ用マイクロフォンＭを衛生的で且つ清潔な状態で常時使用することができる。しかも、オゾンを筐体１内で発生させることで筐体１内をその雰囲気下に晒し、例えば紫外線の照射範囲外でも消毒・殺菌作用を発揮する。また、高濃度オゾンによる人体やペット等への悪影響、例えばオゾン臭気による咳や涙出、肺水腫等その他を生じさせないものとなり、安全に使用することができる。
【００１１】
すなわち、これは本発明において、マイクロフォン消毒装置の消毒手段８は、オゾンによる消臭・殺菌作用を備えて成るからであり、例えば従来から使用されている殺菌用の紫外線光源９の照射範囲外でも殺菌が可能となり、且つ適度なオゾンの発生により筐体１内部更には設置場所周囲の例えば不快な臭いによる悪影響も生じさせない。特に、マイクロフォンＭが自立的に立脚される充電式スタンドによるマイクロフォン載置部５の挿入部６内にも浸透し、マイクロフォンＭの握り部をも消臭、殺菌することができる。
【００１２】
また、紫外線による殺菌作用をオゾンによる消臭・殺菌作用と併用する消毒手段８によって、その相乗的な消毒・殺菌作用で一層有効に筐体１内、すなわち筐体１内に一時的にでも収納保管しているマイクロフォンＭを強力に、しかも確実に消臭し、消毒・殺菌することができる。
【００１３】
オゾンによる消臭・殺菌の消毒手段８は、扉体２によって密閉可能にした筐体１に吸気口１３および排気口１５を備え、吸気口１３から排気口１５へ通じる筐体１内部の気流経路中に、プラズマ放電法もしくは紫外線でオゾン生成可能なＵＶランプ法によるオゾン発生装置１０を配して成るので、筐体１内部に常時安定したオゾンを発生させることができる。そのため、その強力な酸化力で筐体１内部のみならず、設置場所周囲の不快な臭いの元となる物質を容易に酸化分解して脱臭することができる。しかも、筐体１自体は扉体２によって密閉されるため、高濃度オゾンによる人体やペット等への悪影響、例えばオゾン臭気による咳や涙出、肺水腫等その他を生じさせないものとなる。
【００１４】
そればかりでなく、紫外線でオゾン生成可能なオゾンランプ２１を筐体１内に配することで、筐体１内をオゾンの雰囲気下に晒すものとなり、筐体１内に装置されている例えばマイクロフォン載置部５全体をも消臭・殺菌し、必要があれば、各種機器材を一時的にでも筐体１内に保管収納することで、それらを消毒、殺菌することもできる。
【００１５】
マイクロフォン載置部５は、コードレス式のマイクロフォンＭを充電可能な充電タイプのマイクスタンドによって構成されて成るので、マイクロフォンＭを当該マイクロフォン載置部５に載せておくだけで充電できると同時に、マイクロフォンＭを衛生的で且つ清潔な状態で常時使用することができる。
【００１６】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００１７】
【図１】本発明を実施するための一形態を示す扉体の開放状態の斜視図である。
【図２】同じく扉体を開放した状態の一部切欠正面図である。
【図３】同じく扉体を閉塞した状態の縦断側面図である。
【図４】同じくプラズマ放電法によるオゾン発生装置の具体例を示すもので、（ａ）は無声放電方式の原理図、（ｂ）は沿面放電方式の原理図である。
【発明を実施するための形態】
【００１８】
以下、図面を参照して本発明の実施の一形態を詳細に説明すると、図において示される符号１は、主としてカラオケ用に使用されるマイクロフォンＭの消毒手段８として、オゾンによる消臭・殺菌作用を備え、更にはこのオゾンによる消臭・殺菌作用に併用可能にした紫外線による殺菌作用を備えて成るマイクロフォン消毒装置を構成する筐体である。該筐体１は、図１乃至図３に示すように、例えば２本のマイクロフォンＭを立脚状態で収納可能とした大きさに形成され、該筐体１の前面側に形成された開口部には、例えば横開き揺動式の扉体２を有している。
【００１９】
筐体１の内部には、コードレス式のマイクロフォンＭを縦穴状の挿入部６に挿脱自在に挿入して自立可能とし、内底面にマイクロフォンＭの作動に必要な電力を蓄電するための充電用端子である両極を接触させる複数の接続端子７を備えた充電タイプのマイクスタンドによるマイクロフォン載置部５が設置されている。そして、筐体１内部の天井面には、これらマイクロフォンＭを紫外線によって殺菌するための紫外線光源９、更には紫外線でオゾン生成可能なオゾンランプ２１が配されている。尚、マイクロフォン載置部５としては、コード式のマイクロフォンＭを自立可能なマイクスタンドであっても良い。
【００２０】
また、扉体２は例えば適宜な色彩を備えたスモークタイプ、いわゆる半透明な合成樹脂等の素材によって形成され、内面上部には、紫外線光源９からの紫外線光を反射してマイクロフォンＭ側に照射させるための鏡面部３が形成されている。さらに、扉体２および筐体１の各開放縁上部の内側には、例えば磁気吸引方式もしくは凹凸嵌合方式等による扉ストッパー部４が設けられている。
【００２１】
紫外線光源９としては蛍光灯の蛍光塗料が除去され、外管に使用するガラスとして石英等の紫外線透過ガラスを使用した通常の殺菌ランプである所謂低圧水銀ランプを使用することができる。当該殺菌ランプの低圧水銀の放電によって放射される波長２６００オングストローム付近、２５００−２８００オングストロームの紫外線は強力な殺菌効果があることが知られている。特に、殺菌作用の極めて強い２５３．７ｎｍの紫外線を豊富に発生する殺菌ランプを用いれば、細菌、ウイルス、カビ等のほとんどの菌種に有効で、マイクロフォンＭに付着した雑菌やカビ等の殺菌処理に効果的である。尚、この紫外線光源９による紫外線は、オゾンランプ２１によって生成するオゾンの発生効率に有効な波長のものとしても照射生成されることで、オゾンランプ２１によるオゾン発生を一層向上させることができる。
【００２２】
オゾンランプ２１としては、例えば冷陰極タイプの小形ランプ型式のものが使用される。このような紫外線で作るオゾンは無声放電式のオゾンと異なり、危険な窒素酸化物を含まないクリーンなオゾンの生成が可能であり、衛生的で環境にも快適なものとさせる。
【００２３】
図にあっては、筐体１の天井壁内面に紫外線光源９、オゾンランプ２１を各１灯にして配置してあるも、オゾンランプ２１を２灯にすることも、また紫外線光源９を２灯にして配置しても良い。紫外線光源９のみを配置した場合には、後述のように側面収容部１１内にオゾン発生装置１０が収容される。尚、紫外線光源９、オゾンランプ２１等の灯数は特に制限されるものではない。
【００２４】
筐体１の側面には、当該筐体１の高さよりも若干低めの側面収容部１１を連続させて筐体１の一部となるように一体状に設け、該側面収容部１１内にはオゾンによる消臭・殺菌として、例えばプラズマ放電法によるオゾン発生装置１０を収容してある。すなわち、側面収容部１１の天井面あるいは側面には、例えば内側に吸引用のファン１２を配して成る吸気口１３が設けられ、さらに側面収容部１１内部から筐体１内へ通じる通気孔１４、および筐体の下側に形成された排気口１５とを備え、吸気口１３から通気孔１４へ通じる側面収容部１１内部の気流経路中にオゾン発生装置１０が配されている。こうして、側面収容部１１内で発生したオゾンによる消臭・殺菌作用で、本発明消毒装置の設置場所周囲の汚染された空気、筐体１内の空気をも消臭・殺菌して排気させるようにしてある。尚、ファン１２は吸引用のみならず、排出・排気用として通気孔１４あるいは排気口１５近傍に配置されることもある。
【００２５】
また、オゾンは前記のオゾンランプ２１あるいはオゾン発生装置１０のいずれによっても生成可能にしてあるも、これらの少なくともいずれか一方でも足りるのは勿論であり、筐体１外にオゾンが放散されることで周囲の害虫忌避効果、消臭効果にも役立てることができる。
【００２６】
尚、筐体１の下部には例えば偏平な狭小空間による底面収容部１９が設けられ、そこに電源コード２０付きのスイッチ制御回路部１６が収容されている。スイッチ制御回路部１６には、紫外線点灯用スイッチ１７およびオゾン発生用スイッチ１８それぞれが筐体１外部から操作できるように筐体１前面から突出した状態となって設けられている。
【００２７】
また、オゾンの特性としては、酸素原子３個が結合した分子構造を持っていて、安定な酸素にもう１個の酸素原子がついた不安定な状態にあって、自然に分解して酸素に戻る特性がある。このように酸素に戻るときに放出される１原子の活性酸素は、酸化力が強く、カビや、バクテリヤの繁殖阻止に効果があって、悪臭成分ガスとすぐに酸化反応を起こし殺菌・脱臭に大変有効で、また短時間の間に再び酸素に戻るため、廃ガスによる二次公害の少ない物質である。尚、前記した紫外線光源９の殺菌用紫外線２５３．７ｎｍと同時にオゾン生成作用をもつ紫外線１８５ｎｍを放射するランプを使用すると、適度なオゾンの発生を利用して空気殺菌や脱臭を行うこともできる。
【００２８】
プラズマ放電法によるオゾン発生装置１０としては、無声放電法と沿面放電法とがある。すなわち、無声放電法の原理は、図４（ａ）に示すように、２つの電極間にガラス等の誘電体を介して交流高電圧をかけた時、その隙間に起こる放電現象を利用してオゾンを発生させる生成法である。一方、沿面放電法の原理は、図４（ｂ）に示すように、平面状の電極を絶縁体で覆いその絶縁体の表面に電極を設置し、この電極間に高電圧をかけて絶縁体表面に放電を起こさせてオゾンを発生させる生成法である。
【００２９】
また、紫外線でオゾン生成可能なＵＶランプ法によるオゾン発生装置１０を採用しても良い。すなわち、前記した紫外線光源９の殺菌用紫外線２５３．７ｎｍと同時にオゾン生成作用をもつ紫外線１８５ｎｍを放射するＵＶランプを使用すると、適度なオゾンの発生を利用して空気殺菌や脱臭を行うことができる。
【００３０】
このようなＵＶランプを使用した所謂オゾンランプとしては、前記したような冷陰極タイプの小形ランプ、更には熱陰極タイプの大形ランプとがある。このようなオゾンランプは石英ガラスで作られていることでオゾンの発生能力は優れ、しかも紫外線で作るオゾンは無声放電方式のオゾンとは異なり、危険な窒素酸化物を含まないクリーンオゾンができるので、オゾンの殺菌や脱臭力を活かす衛生対策や快適環境の創造を目的とするオゾン応用機器に適している。
【００３１】
また、扉体２としては、上記した横開き揺動式の他に、図示を省略したが例えば引き起こし式の扉体２、上下方スライド式の扉体２、横スライド式の扉体２等の種々の開閉構造によるものを採用することができる等、扉体２自体の構成はこれらに限定されないことは勿論である。
【００３２】
尚、筐体１は、マイクロフォンＭを一時的に収納することでこれを充電させるマイクロフォン載置部５、消毒手段８を備えていれば良く、以上のような図示例の構成に限定されるものではない。
【００３３】
次に、以上のように構成された形態についての使用の一例について説明すると、例えばカラオケ店舗において、マイクロフォンＭを使用しないときは、筐体１前面の扉体２を開けてからマイクロフォンＭをマイクロフォン載置部５の縦穴状の挿入部６に挿入して充電する。そして、扉体２を閉めてから、スイッチ制御回路部１６の紫外線点灯用スイッチ１７、オゾン発生用スイッチ１８のいずれか、あるいは双方をＯＮにする。
【００３４】
そうすると、オゾンランプ２１からは消臭・殺菌作用があるオゾンが生成され、紫外線光源９からは殺菌作用の極めて強い例えば２５３．７ｎｍの紫外線が豊富に発生させられ、筐体１内に収納されているマイクロフォンＭに付着した雑菌・カビ等が確実に殺菌処理される。
【００３５】
一方、オゾン発生装置１０によって生成されたオゾンによっても、筐体１内部の空気の殺菌や脱臭等が行われる。すなわち、吸引用のファン１２により吸気口１３から吸引された空気はオゾン発生装置１０によってオゾン化され、筐体１内の汚染された空気をオゾンによって消臭・殺菌したのち、排気口１５から外部へ排気される。また、吸気口１３から周囲の汚染空気をも吸引するから、これを消臭・殺菌でき、清浄化された空気として再び供給し、周囲環境を清浄化する。
【００３６】
また、オゾン発生装置１０更にはオゾンランプ２１によるオゾン殺菌は人がいない間に行い、人が再び入室するときにはその影響がなくなるようにオートタイマー等で事前にオゾン発生装置１０を止めるようにしても良い。特に、筐体１自体は扉体２によって密閉されているためにこのように作動時間を制限しておく必要性がなく、扉体２を開ける以外はオゾン発生装置１０を連続稼働させておくことも可能である。必要があれば、扉体２を開放したときには、オゾン発生装置１０、オゾンランプ２１の作動が自動的に停止されるように制御しても良い。
【００３７】
こうして筐体１内に所定時間載置することにより、マイクロフォンＭは殺菌・消臭されるから、使用するマイクロフォンＭは、極めて衛生的になり、安心してカラオケを楽しむことができる。
【符号の説明】
【００３８】
Ｍ…マイクロフォン
１…筐体                                ２…扉体
３…鏡面部                              ４…扉ストッパー部
５…マイクロフォン載置部                ６…挿入部
７…接続端子                            ８…消毒手段
９…紫外線光源                          １０…オゾン発生装置
１１…側面収容部                        １２…ファン
１３…吸気口                            １４…通気孔
１５…排気口                            １６…スイッチ制御回路部
１７…紫外線点灯用スイッチ              １８…オゾン発生用スイッチ
１９…底面収容部                        ２０…電源コード
２１…オゾンランプ
【図１】
2011097511.tif 000003
【図２】
2011097511.tif 000004
【図３】
2011097511.tif 000005
【図４】
2011097511.tif 000006